(57)【要約】【課題】運搬面における隣接するスラット間から微細な運搬物がこぼれ落ちるのを防ぐとともに、斯かる運搬面に運搬物を積載する際の騒音を防止し、さらに、運搬物が破砕されたりコンベア装置が破損するのを防ぎながら、円滑な運搬を実現する。【解決手段】スラット４が無端に連設されたスラットコンベア１において、前記連設されたスラット４の表面に沿ってコンベアベルト３を添設するとともに、コンベア運搬面に、その長さ方向に直角かつ垂直に、揚げ荷用の棚板６を所定間隔で設ける。【選択図】        図３
2004217351.tif 000002
【特許請求の範囲】
【請求項１】
スラットが無端に連設されたスラットコンベアにおいて、前記連設されたスラットの表面に沿って無端コンベアベルトを添設したことを特徴とするスラットコンベア。
【請求項２】
前記スラットコンベアの運搬面に、その長さ方向に直角かつ垂直に、揚げ荷用棚板を所定間隔で設けた請求項１記載のスラットコンベア。
【発明の詳細な説明】
【０００１】
【発明の属する技術分野】
この発明はスラットコンベアに関し、殊に所定の搬入手段からバラ物の運搬物を受け取って効率的に後続設備に運搬するスラットコンベアに関する。
【０００２】
【従来の技術】
スラットコンベアは、無端状チェーンの長さ方向に堅牢な板状のスラットが連続して設けられたものであり、重量物や大量の粉砕された岩石・土砂等或いは微細な破片を含む廃棄物などのバラ物を効率的に運搬するのに適したものであり、例えばダンプトラック等の荷台から積載物を受け取って貯留庫の上に運搬し投入するために用いられる。
【０００３】
しかし、スラットコンベアは板状のスラットを連続して設けたものであり、粉砕された岩石や土砂或いは廃棄物などのバラ物を運搬する場合、スラットコンベアの両側端やスラット間の隙間から運搬物がこぼれ落ちてしまう場合が多かった。特に、プレスタイプのスラットを瓦状に重畳部を設けて重ねたラップ式スラットの場合、微細な運搬物がその重畳部の隙間や左右のスカートとの隙間からこぼれ落ち易かった。
【０００４】
また、斯かるスラットコンベアの起端にダンプトラックの荷台等から粉砕された岩石等を投下する場合、これら重量物を落下させると衝撃による騒音が発生したり、コンベア装置が損傷するという問題も生じていた。さらに、リサイクルセンター等において、空瓶や空缶をコンベア上に投入する場合は、投入距離が小さくても空瓶が割れて破片が飛散するためその処理が面倒であり、また投入時に生じる騒音による近隣への被害もある。
一方、スラットコンベアの揚げ荷角度が大きい場合、運搬物がスラットコンベア上を滑って運搬効率が悪いという問題もあったが、これに対しては、スラットの所定間隔において進行方向に直角に棚板（スクレーパ）を取付けることで運搬物の滑りを防止しながら、高所まで運搬物を揚げ荷するスラットコンベアが多用されるようになっている。
【０００５】
これらの問題に対し、特開平８−１５７０２８号公報には、スラットの両端に位置するようにサイドカバーを側板の内側に設けて、その両端から運搬物がこぼれ落ちるのを防ぐ技術が開示されている。
しかし、係るスラットコンベアにおいても、運搬面における隣接するスラット間から小径の運搬物がこぼれ落ちるのを防止できず、これらがスプロケットの歯や回転軸に挟まってコンベアに故障が生じたり、落下物が溜まって清掃が必要になる等のトラブルが生じやすかった。
【０００６】
これに対し、特開平１１−２６８８１０号公報には、各スラットの下部にスラットの進行方向に突き出し、隣り合うスラットに至る長さの受け部をスラットの全幅に渡って設けることにより、この受け部により異物が受け取られるとともに、スラットの折り返し地点で受け皿に落下させる技術が提示されている。
【０００７】
係る技術は、簡単な構造により、落下したビスなどの異物がスプロケット等に詰まって、スラットコンベアに故障が生じるのを防止できる点で優れている。しかし、斯かるスラットコンベアでは、粉砕した岩石やガラスのように多量の小径で微細な運送物を含むような場合、この受け部だけでは大量の落下物を受け止めきれないため、受け部から運搬物がこぼれ落ちて種々のトラブルが発生するのを防止できなかった。
【０００８】
尚、特開平８−２４４９３６号公報には、スプロケット間を周回走行するタイミングベルト上に複数のスラットを設ける技術が開示されているが、係る技術は運搬物がスラットコンベアからこぼれ落ちるのを防止しようとするものではなく、スラットコンベアの運転中に騒音が発生するのを阻止するのが目的であり、石炭等の小径の粉砕物を含む場合、スラット間においてタイミングベルト上に運搬物が溜まって故障の原因になりやすいとともに、その両側からこぼれてしまう等の問題が生じる。
【０００９】
【発明が解決しようとする課題】
そこで、本発明は、運搬面における隣接するスラット間から微細な運搬物がこぼれ落ちるのを防ぐとともに、係る運搬面に運搬物を積載する際の騒音を防止し、さらに、運搬物が破砕されたりコンベア装置が破損するのを防ぎながら、円滑な運搬を実現することを課題とする。
【００１０】
【課題を解決するための手段】
上記のような問題点を解決するため、本発明は、スラットが無端に連設されたスラットコンベアにおいて、前記連設されたスラットの表面に沿って無端コンベアベルトを添設したことを特徴とするスラットコンベアとした。これにより、小径の運搬物が隣接するスラット間からこぼれ落ちるのを防ぐことができる。また、運搬物をトラックの荷台等から投入してコンベア上に積載する際の騒音を防ぎ、さらには、運搬物の破砕やコンベア装置の破損を防止することができる。
【００１１】
また、前記スラットコンベア運搬面に、その長さ方向に直角かつ垂直に、揚げ荷用棚板を所定間隔で設けることにより、揚げ荷角度が大きな場合でも、運搬物の滑りを防ぎながら、円滑な運搬を実現することができる。
【００１２】
【発明の実施の形態】
次に、本発明の実施の形態について図面を参照しながら詳細に説明する。
【００１３】
図１は、本発明における好ましい実施の形態である、スラットコンベアの運搬面の構造の概略を示す部分断面図であり、コンベアの長さ方向に沿って運搬面を切断した状態を示している。
【００１４】
４はスラットであり、堅牢な長方形の鋼板の裏面に雨樋状の補強材が設けられて、所定の運搬物重量に耐えられる構造となっている。また、スラット４はその表面が平坦なフラットタイプであり、これがヒンジ１１で連接されている。このようなヒンジ式のスラットにすることで、微細な運搬物によるスラット間における噛み込みが減少するとともに、スラット面が平滑となるため、表面に接続凸部のあるラップ式スラットと比較して左右のスカートとスラット面との隙間が小さくなり、運搬物のこぼれが少なくなる利点がある。
【００１５】
そして、斯かる平坦な表面に沿ってコンベアベルト３が無端に周設されている。コンベアベルト３は、例えば弾性素材のゴムからなる帯状の本体にワイヤーまたは強靱な繊維等を芯材として設けた柔軟かつ堅牢な構造にして、ボルト１０のような固定手段でスラット４の表面に固定して設けられている。
これにより、粉砕された石炭やガラスのような小径で微細な運搬物がスラット間からこぼれ落ちるのを防止する。また、ゴム材等の弾性素材の有する衝撃吸収力により、トラックの荷台等の高所から運搬物を投下してスラットコンベア上に積載する際の衝撃音を防ぎ、さらには空瓶のような破損しやすい運搬物が割れて飛散することも防止するとともに、コンベア装置の破損も防止することができる。
尚、軽量物運搬用のスラットコンベアにおいては、スラットを接続するヒンジ１１を設けなくても、コンベアベルト３による各スラットの固定のみで実施可能である。
【００１６】
図２，３は、図１におけるスラットコンベアを、揚げ荷角度の大きなスラットコンベア用にした場合の概略図である。
【００１７】
図２に示すスラットコンベア１は、図示しない搬入手段から石炭や空瓶等の運搬物が投下・積裁されると、原動機２により駆動されて運搬物を高所まで揚げ荷して、所定の貯留庫等に投入・貯留できるようになっている。係るスラットコンベア１は、複数の支柱７により支えられて高角度の傾斜を維持している。また、運搬物が石炭や空瓶等のバラ物の場合、積載物の高さ及び広がりが不均一であってこぼれ落ち易いため、やや大きめのスカート側板５が運搬面の両側に長さ方向に沿って設けられている。
【００１８】
図３は、図２に示すスラットコンベア１のＸ―Ｘ線に沿う、断面の略図である。支柱７，７に支えられたコンベア部は、原動機によりコンベアチェーン８を介して駆動される。コンベアチェーン８はスラット４に係合しており、スラット４の表面にはコンベアベルト３が、連設されたスラットに沿ってスラットコンベアを一周して無端ベルトを形成している。コンベアベルト３は、ボルトが貫通する穴を有しており、棚板６をスラット４に固定する図示しないボルトにより、棚板６とスラット４に挟まれながらスラット４に堅固に固定されている。
【００１９】
棚板６は、所定間隔でスラット４に固定されており、これによりコンベアの傾斜の強い箇所で運搬物が滑らないようになっている。また、スラット４上の運搬面の両側には、側面から運搬物がこぼれ落ちるのを防ぐためのスカート側板５が支柱７に固定されて設けられているが、スカート側板５の下部には運搬物による摩耗を防ぐため、摩耗防止ライナー９が設けられている。尚、スカート側板５の下端外側において、コンベアベルト３の表面に垂直にその端部が近接するようにゴム板等の柔軟素材をコンベアの長さ方向に亘って更に設ければ、微細な運搬物でもスラット４の左右からこぼれ落ちにくくなる。
【００２０】
本実施の形態におけるスラットコンベアは、以上のような構成であり、コンベアの起端部に所定の投入手段により重量のある石炭や破砕し易いガラス瓶等の積載物を投下して運搬する場合に、コンベア上に衝撃吸収作用のあるコンベアベルト３が設けられていることにより、投入時の衝撃音が軽減されるとともに、運搬物が破砕されるのを防ぎ、さらにはコンベア装置の破損も回避されやすくなり、メンテナンスが容易となる。
【００２１】
また、微細なバラ物を含む運搬物の場合、スカート側板５により運搬物が側方にこぼれ落ちるのが防止されるとともに、コンベアベルト３により、これらがスラット間からこぼれ落ちるのも防止される。このように、スラットコンベア１により、微細なバラ物を含む運搬物がコンベア上の運搬面からこぼれ落ちるのを防ぐことにより、コンベアの運転トラブルや落下物の清掃の問題を有効に回避することができる。
【００２２】
さらに、運搬物が急傾斜部を運搬される際、コンベア上に適宜間隔で配置された棚板６により運搬物の滑りが防止されることにより、スムースな運搬が行われて効率的な運搬作業を実施することができる。
尚、本発明を実施するための最良の構成は以上の記載で開示されているが、本発明はこれに限定されるものではない。
【００２３】
【発明の効果】
以上のように、本発明であるスラットコンベアにより、運搬面における隣接するスラット間から微細な運搬物がこぼれ落ちるのを防ぐことができるようになった。また、コンベア運搬面に運搬物を積載する際の騒音の発生を防ぐとともに運搬物の破砕を防ぎ、さらにはコンベア装置の破損を防止することができるため、円滑な運搬作業を実施できるようになった。
【図面の簡単な説明】
【図１】本発明の実施の形態におけるスラットコンベアの部分断面図である。
【図２】本発明の実施の形態におけるスラットコンベアの側面図である。
【図３】図２におけるスラットコンベアのＸ−Ｘ線に沿う断面図である。
【符号の説明】
１  スラットコンベア、２  原動機、３  コンベアベルト、４  スラット、５スカート側板、６  棚板、７  支柱、８  コンベアチェーン、９  摩耗防止ライナー、１０  ボルト、１１  ヒンジ
【図１】
2004217351.tif 000003
【図２】
2004217351.tif 000004
【図３】
2004217351.tif 000005